(57)【要約】【課題】吹出口開口を覆う保護板とロゴ表示部を一体構成としてフロントに取り付ける構成とすることで、デザイン性、組立性の向上を図る。【解決手段】吹出口開口１８を覆う吹出口保護板１９ｂと、ロゴ表示部１９ａを一体構成とした吹出部銘板１９を形成し、該吹出部銘板１９をフロント１７の裏側から取り付けることで、吹出口開口１８に吹出口保護板１９ｂ、ロゴ開口１７ａにロゴ表示部１９ａを配設するようにしたものである。【選択図】図１
2005140348.tif 000002
【特許請求の範囲】
【請求項１】
機器の外殻を形成する着脱自在なフロント板と、フロント板の内側下方に設けた第１の吹出口と、前記第１の吹出口より上方に位置してフロント板の内側上方に設けられるとともに、多数の開口を有する吹出口保護板を取付けた第２の吹出口と、第２の吹出口近傍のフロントに設けたロゴ開口に取り付けたロゴ表示部とを備え、前記ロゴ表示部は前記吹出口保護板と一体化して吹出部銘板を形成し、前記吹出部銘板をフロント裏面から取り付けることで、第２吹出口に吹出口保護板、ロゴ開口にロゴ表示部が配設されるように構成した暖房装置。
【請求項２】
フロントの表面側からみたとき、吹出部銘板の吹出口保護板とロゴ表示部の色調を変える構成とした請求項１記載の暖房装置。
【請求項３】
吹出部銘板に対応する第２吹出口またはロゴ開口のいずれか或いは両方を複数とした請求項１または２記載の暖房装置。
【請求項４】
吹出部銘板の保護板またはロゴ表示部のいずれかあるいは両方を開口からフロント表面側へ凸形状として張り出す構成とした請求項１〜３のいずれか１記載の暖房装置。
【請求項５】
吹出部銘板の材質を金属製の鋼板に印刷を施した請求項１〜４のいずれか１項記載の暖房装置。
【請求項６】
本体背面に設けた送風ファンと、燃料を気化して燃焼させる燃焼部と、この燃焼部を覆い上方に開口部を有する燃焼筒と、この燃焼筒を覆い前記送風ファンからの室内空気と燃焼ガスを混合し温風経路を形成するダクトと、このダクトからの温風を室内に排出する第１吹出口と、前記第１吹出口より上方に設けられ、前記ダクトに連通させた第２吹出口と、第１吹出口と第２吹出口の間に機器の機能等や機種名特徴などを表すロゴ表示部を取り付けるロゴ開口とを備え、前記ダクトには第２吹出口と連通した連通口を設けるとともに、機器の外殻を形成し機器に着脱自在に構成したフロントの裏側から第２吹出部開口を覆うように配設し多数の小孔を有する保護板と、フロントの裏側からロゴ開口を覆うように配設しロゴ表示部を一体構成とした金属製の鋼板に印刷を施した吹出部銘板を配設してなる暖房装置。
【発明の詳細な説明】
【技術分野】
【０００１】
本発明は、室内空気と高温ガスを混合して暖房に用いる暖房装置に関するものである。
【背景技術】
【０００２】
従来この種の暖房装置は図４示すように、タンク１にカートリッジタンク２から燃料が供給され、同タンク１の燃料はポンプ３によって燃焼時において所定温度以上に保たれた気化部４に供給される。そして燃料は、この高温に保たれた気化部４で気化されて気化ガスとなり、燃焼部５へ供給され、そこで燃焼される。生じた高温の燃焼排気ガスは、燃焼部５の周囲を覆うように配設された燃焼筒６で上方へ導かれ、上記燃焼筒６を覆ったダクト７内で送風手段８からの室内空気流と混合され、温風として前方へ排出されて暖房に利用される（例えば、特許文献１参照）。
【特許文献１】特開平１０−２６１２号公報
【発明の開示】
【発明が解決しようとする課題】
【０００３】
しかしながらこのような構成の温風暖房装置は、温風として前方へ排出する吹出口近傍が温度的に高温となりやすく、その近傍に機器の機能等や機種名特徴などを表すロゴ表示部を取り付けようとすると、構造的に耐熱等の課題を生じやすく、設計的な制約を受けやすい性質を有していた。
【０００４】
特に、機器の外殻を形成し機器に着脱自在に構成したフロントにロゴ表示部を取り付けようとすると、見映えの観点より、ロゴ表示部にふくらみをもたせたり、質感の向上のために樹脂材料で形成されたり、ロゴ表示部の取り付けが、のりや両面テープなどで接着されたりする場合が多く、取付構成を十分注意する必要があった。例えば、何らかの理由で吹出口が閉塞されたり、前方へ排出した温風がショートカットして再び送風手段に高温の空気が吸い込まれるなどによって、ロゴ表示部が変形したり、外れたり、破損しやすいという心配があった。
【０００５】
また、フロント部に開口を設け、機器側に銘板部分を取り付けようとすると、フロントの着脱時に位置ズレや、着脱の際に生じるこすれなどによって、傷つくなどの心配があるとともに、構成的にも複雑になりやすいという欠点があった。
【０００６】
また、吹出口開口を覆うように多数の小孔を有する吹出口保護板を設けたものにおいては、その近傍にロゴ表示部を有する銘板を配設しようとすると、吹出口保護板と銘板の取付がより干渉しあって複雑となり、より温度的にも不利となり、より設計的な制約を受けやすい欠点があった。
【０００７】
本発明は上記課題を解決するもので、吹出口保護板とロゴ表示部を一体構成とすることで、構成の簡素化を図り、デザイン性、組立性を向上し、設計の自由度をアップさせることを目的としたものである。
【課題を解決するための手段】
【０００８】
本発明は上記目的を達成するため、機器の外殻を形成し着脱自在に構成したフロントと、フロント内の下方に設けた第１の吹出口と、前記第１の吹出口より上方のフロント内に設け多数の開口を有する吹出口保護板を裏面に配した第２の吹出口と、第２の吹出口近傍のフロントに設けたロゴ開口に取り付けたロゴ表示部とを備え、前記ロゴ表示部は前記吹出口保護板と一体化して吹出部銘板を形成し、前記吹出部銘板をフロント裏面から取り付けることで、第２吹出口に吹出口保護板、ロゴ開口にロゴ表示部が配設されるように構成したものである。
【０００９】
上記本発明によれば、フロントの裏側から覆うように配設した吹出口保護板とロゴ表示部を一体構成とした吹出部銘板を配設してあるので、一つの部品で吹出口保護板とロゴ表示部を構成でき、構成部品が少なく、安価に構成することができるようになる。
【００１０】
また、取付強度は、吹出口保護板とロゴ表示部を個別に構成した場合に比べ、少なくともそれぞれの取付部の強度が付加されるので、その分増強される。つまり、ロゴ表示部にはロゴ表示部を個別に構成した場合の取付強度に吹出口保護板の取付強度が付加され、また、同様に吹出口保護板には個別に構成した場合の取付強度にロゴ表示部の取付強度が付加されるようになり、取付がしっかりするようになる。
【００１１】
さらに、フロントに吹出部銘板はフロントの裏側から第２吹出口とロゴ開口を覆うように配設してあるので、フロントの機器に着脱時に、吹出部銘板の表面を傷つける心配もない。
【発明の効果】
【００１２】
以上のように本発明によれば、フロントの裏側から覆うように配設した吹出口保護板とロゴ表示部を一体構成とした吹出部銘板を配設してあるので、一つの部品で吹出口保護板とロゴ表示部を構成でき、構成部品が少なく安価に構成することができるようになる。
【００１３】
また、取付強度は、吹出口保護板とロゴ表示部を個別に構成した場合に比べ、少なくともそれぞれの取付部の強度が付加されるので、その分増し、つまり、ロゴ表示部にはロゴ表示部を個別に構成した場合の取付強度に吹出口保護板の取付強度が付加され、また、同様に吹出口保護板には吹出口保護板を個別に構成した場合の取付強度にロゴ表示部の取付強度が付加されるようになり、取付がしっかりするようになる。
【００１４】
さらに、フロントに吹出部銘板はフロントの裏側から第２吹出口とロゴ開口を覆うように配設してあるので、フロントの機器に着脱時に、吹出部銘板の表面を傷つける心配もない。
【発明を実施するための最良の形態】
【００１５】
第１の発明は、機器の外殻を形成し着脱自在に構成したフロントと、フロント内の下方に設けた第１の吹出口と、前記第１の吹出口より上方のフロント内に設け多数の開口を有する吹出口保護板を裏面に配した第２の吹出口と、第２の吹出口近傍のフロントに設けたロゴ開口に取り付けたロゴ表示部とを備え、前記ロゴ表示部は前記吹出口保護板と一体化して吹出部銘板を形成し、前記吹出部銘板をフロント裏面から取り付けることで、第２吹出口に吹出口保護板、ロゴ開口にロゴ表示部が配設されるように構成したことを特徴とするものである。
【００１６】
そして、フロントの裏側から覆うように配設した吹出口保護板とロゴ表示部を一体構成とした吹出部銘板を配設してあるので、一つの部品で吹出口保護板とロゴ表示部を構成でき、構成部品が少なく、安価に構成でき、かつ吹出口保護板とロゴ表示部を個別に構成した場合に比べ、取付強度が増して安定した取付が確保できる。
【００１７】
第２の発明は、吹出部銘板に対応する第２吹出口またはロゴ開口のいずれか或いは両方を複数とした構成としてある。
【００１８】
そして、吹出部銘板に対応する吹出部開口とロゴ開口のいずれか或いは両方を複数とした構成としてあるので、一つの部品で複数の吹出口保護部とロゴ表示部を構成でき、簡単な構成で安価に見栄えを向上することができる。
【００１９】
第３の発明は、フロント表面側からみたときに、吹出部銘板の吹出口保護板とロゴ表示部の色調を変える構成としてある。
【００２０】
そして、吹出部銘板は、吹出口保護板が多数の小孔を有してその小孔部分から内側の背景が透けて見えるのため、フロント表面側からみたときに、吹出口保護板とロゴ表示部は色調が異なり、見栄えが悪いという欠点があるが、吹出部銘板の吹出口保護板とロゴ表示部の色調を変えて合わせることができるので、見栄えを向上させることができる。
【００２１】
また、フロント表面側からみたときに、吹出部銘板の吹出口保護板とロゴ表示部の色調を変える構成としてあるので、一つの部品で複数の吹出口保護部とロゴ表示部をあたかも別の部品で構成したように見せることができ、安価に見栄えを向上することができる。
【００２２】
第４の発明は、吹出部銘板の吹出口保護板或いはロゴ表示部のいずれか或いは両方を開口からフロント表面側へ凸形状として張り出す構成としてある。
【００２３】
そして、吹出部銘板の吹出口保護板或いはロゴ表示部のいずれか或いは両方を開口からフロント表面側へ凸形状として張り出す構成としてあるので、フロント表面側へ凸形状として張り出した部分で開口との位置合わせができるようになる。また、一つの部品で複数の吹出口保護部とロゴ表示部をあたかも別の部品で構成したように見せることができ、安価に見栄えを向上することができる。
【００２４】
第５の発明は、吹出部銘板の材質を金属製の鋼板に印刷を施した構成としてある。
【００２５】
そして、吹出部銘板の材質を金属製の鋼板に印刷を施してあるので、温風として前方へ排出する吹出口近傍が温度的に高温となりやすいその近傍にロゴ表示部を配設しても、変形したり、外れたり、破損しやすいという心配がなくなり、耐熱等の設計的な制約なくなり、安価に見栄えのよい機器が構成できるようになる。
【００２６】
第６の発明は、本体背面に設けた送風ファンと、燃料を気化して燃焼させる燃焼部と、この燃焼部を覆い上方に開口部を有する燃焼筒と、この燃焼筒を覆い前記送風ファンからの室内空気と燃焼ガスを混合し温風経路を形成するダクトと、このダクトからの温風を室内に排出する第１吹出口と、前記第１吹出口より上方に設けられ、前記ダクトに連通させた第２吹出口と、第１吹出口と第２吹出口の間に機器の機能等や機種名特徴などを表すロゴ表示部を取り付けるロゴ開口とを備え、前記ダクトには第２吹出口と連通した連通口を設けるとともに、機器の外殻を形成し機器に着脱自在に構成したフロントの裏側から第２吹出部開口を覆うように配設し多数の小孔を有する吹出口保護部と、フロントの裏側からロゴ開口を覆うように配設しロゴ表示部を一体構成とした金属製の鋼板に印刷を施した吹出部銘板を配設した構成としてある。
【００２７】
そして、第１吹出口に加え第２吹出口を追加しているので、送風機からの空気流の排出部面積が増加して通気抵抗が減少し、その分、送風機の室内空気を吸い込む能力すなわち送風機で形成される室内空気流量も増大するようになり、室内空気をかき回す量が増え、室内温度の均一化が促進され、快適性が向上する。
【００２８】
また、温風を前方へ排出して近傍が温度的に高温となりやすい第１吹出口と第２吹出口の間にロゴ表示部を配設しても、第２吹出部開口とロゴ表示部を一体構成とした金属製の鋼板に印刷を施した吹出部銘板を配設してあるので、変形したり、外れたり、破損しやすいという心配がなくなり、耐熱等の設計的な制約なくなり、安価に見栄えのよい機器が構成できるようになる。
【００２９】
（実施の形態１）
以下、本発明の実施の形態について図面を用いて説明する。
【００３０】
図１〜３において、１１は燃料を燃焼させる燃焼部で、この燃焼部１１で生じた燃焼排ガスを上方へ導くように配設した燃焼筒１２で覆われている。
【００３１】
１３は燃焼筒１２を覆い室内空気と燃焼ガスを混合して第１吹出口１４に導く温風経路を形成するダクトで、本体背面には室内空気を吸引し、ダクト１３内に供給する送風手段１５を備えている。
【００３２】
この送風手段１５から導入される室内空気と燃焼部１１から発生する高温ガスが燃焼筒１２の開口部１２ａより排出された後、混合され、第１吹出口１４より温風となって排出されるようになっている。
【００３３】
また、ダクト１３には前記燃焼筒１２の開口部１２ａより上方に連通口１３ａが設けてあり、その下流側にマイナスイオン発生手段１６を配設し、それと対向する該機器の外殻を形成し機器に着脱自在に構成したフロント１７には前記ダクト１３の連通口１３ａに連通した複数の開口部を有する第２吹出口１８が設けてある。
【００３４】
そして、第１吹出口１４と第２吹出口１８の間に機器の機能等や機種名特徴などを表すロゴ表示部を取り付けるロゴ開口が設けてあり、該機器の外殻を形成し機器に着脱自在に構成したフロント１７の裏側から第２吹出部１８開口を覆うように配設し多数の小孔を有する吹出口保護板１９ｂと、フロント１７の裏側からロゴ開口１７ａを覆うように配設しロゴ表示部１９ａを一体構成とした金属製の鋼板に印刷を施した吹出部銘板１９を配設してある。
【００３５】
図２に示すように、この吹出部銘板１９は、複数の開口部を有する第２吹出口１８に対応する位置に多数の小孔を配設した吹出口保護板１９ｂと、機器の機能等や機種名特徴などを表すロゴ表示部１９ａ（斜線部）の色調を変えてあり、吹出口保護部１９ｂをロゴ表示部１９ａより明るい色調としてあるとともに、ロゴ表示部１９ａはロゴ開口１７ａからフロント１７表面側へ凸形状として張り出すように形成してある。
【００３６】
図３に示すように、２０は制御部で、室温や操作部で設定された運転条件等に基づいて送風手段１５や燃焼部１１の燃焼条件ををあらかじめ決められたシーケンスで制御するようになっている。
【００３７】
上記した構成において、燃焼部１１の燃焼で生じた高温の燃焼ガスは燃焼筒１２の上方へ流れてゆき、ダクト１３内で送風手段１５からの室内空気流と混合され、第１吹出口１４より温風として排出されて暖房に利用される。
【００３８】
また、送風手段１５からの空気流の一部は連通口１３ａより取り出され、第２吹出口１８より排出されるが、その過程で、マイナスイオン発生手段１６によってマイナスイオンが付加され、そして、触媒を担持した吸着体１９を通過するときに空気浄化される。
【００３９】
そして、制御部２０は、室温や操作部で設定された運転条件等に基づいて送風手段１５や燃焼部１１の燃焼条件ををあらかじめ決められたシーケンスで制御し、とくに着火時と消火時には、一時的に送風手段１５を停止して、燃焼部１１で発生した未燃ガスがドラフトで第２吹出口１８より排出するようにしてある。
【００４０】
ここで、第１吹出口１４に加え第２吹出口１８を追加しているので、送風手段１５からの空気流の排出部面積が増加して通気抵抗が減少し、その分、送風手段１５の室内空気を吸い込む能力すなわち送風手段１５で形成される室内空気流量も増大するようになり、室内空気をかき回す量が増え、室内温度の均一化が促進され、快適性が向上する。
【００４１】
また、第２吹出口１８と連通した連通口１３ａの下流側にマイナスイオン発生手段１６を配設してあるので、締め切った部屋で長時間使われてもマイナスイオンが補充され、プラスイオンとマイナスイオンのイオン比が大きくなり過ぎるのを防止でき、室内環境を高品位に保ちつつ室内全体も暖房することができるようになる。
【００４２】
さらに、空気流路の適所にマイナスイオン発生手段１６を配設してあるので、マイナスイオン発生手段１６から放出されたマイナスイオンを温風によって部屋全体まで到達させることができるようになり、マイナスイオンの効果がより効果的に発揮させることができる。送風手段１５も該機器の温風発生用とマイナスイオン用を兼ねているので、構成も簡単になり安価とすることができる。
【００４３】
そして、フロント１７の裏側から覆うように配設した吹出口保護部１９ｂと、ロゴ表示部１９ａを一体構成とした吹出部銘板１９を配設してあるので、一つの部品で複数の吹出口保護部１９ｂとロゴ表示部１９ａを構成でき、簡単な構成で安価に見栄えを向上することができる。
【００４４】
また、取付強度は、吹出口保護部１９ｂとロゴ表示部１９ａを個別に構成した場合に比べ、少なくともそれぞれの取付部の強度が付加されるので、その分増し、つまり、ロゴ表示部１９ａにはロゴ表示部１９ａを個別に構成した場合の取付強度に吹出口保護部１９ｂの取付強度が付加され、また、同様に吹出口保護部１９ｂには吹出口保護部１９ｂを個別に構成した場合の取付強度にロゴ表示部１９ａの取付強度が付加されるようになり、取付がしっかりするようになる。
【００４５】
さらに、フロント１７に吹出部銘板１９はフロント１７の裏側から第２吹出口１８とロゴ開口１７ａを覆うように配設してあるので、フロント１７の機器に着脱時に、吹出部銘板１９の表面を傷つける心配もない。
【００４６】
そして、吹出部銘板１９は、吹出口保護部１９ｂが多数の小孔を有してその小孔部分から内側の背景が透けて見えるのため、フロント１７表面側から観たときに、吹出口保護部１９ｂとロゴ表示部１９ａは色調が異なり、見栄えが悪いという欠点があるが、吹出部銘板１９の吹出口保護部１９ｂとロゴ表示部１９ａの色調を変えて合わせることができるので、見栄えを向上させることができる。
【００４７】
また、ロゴ表示部１９ａを開口からフロント１７表面側へ凸形状として張り出す構成としてあるので、フロント１７表面側へ凸形状として張り出した部分で開口との位置合わせができるようになる。
【００４８】
さらに、フロント１７表面側から観たときに、吹出口保護部１９ｂが平板で、ロゴ表示部１９ａが凸形状としてしてあるので、見た目の形状が異なり、一つの部品で複数の吹出口保護部１９ｂとロゴ表示部１９ａをあたかも別の部品で構成したように見せることができ、安価に見栄えを向上することができる。
【００４９】
そして、吹出部銘板１９の材質を金属製の鋼板に印刷を施してあるので、温風として前方へ排出する第１吹出口１４および第２吹出口１８近傍が温度的に高温となりやすいその近傍にロゴ表示部１９ａを配設しても、変形したり、外れたり、破損しやすいという心配がなくなり、耐熱等の設計的な制約なくなり、安価に見栄えのよい機器が構成できるようになる。
【００５０】
なお上記実施の形態では、吹出部銘板１９は、ロゴ表示部１９ａのみをロゴ開口１７ａからフロント１７表面側へ凸形状として張り出すように形成して説明したが、これは、複数の吹出部保護部とロゴ開口１７ａの何れか或いはすべてをそれぞれ異なる凸形状として張り出すように形成してもよく、また、張り出さずに平板で形成してもよい。
【００５１】
また、吹出部銘板１９は、吹出口保護部１９ｂをロゴ表示部１９ａより明るい色調として説明したが、これは、複数の吹出部保護部とロゴ開口１７ａの何れか或いはすべてをそれぞれ異なる色調としてもよく、また、同色としてもよい。
【００５２】
さらに、第２吹出口１８と連通した連通口１３ａの下流側にマイナスイオン発生手段１６を配設した構成で説明したが、これは、触媒等を配設してもよく、その他各部の構成も本発明の目的を達成する範囲であればその構成はどのようなものであってもよい。
【産業上の利用可能性】
【００５３】
以上のように本発明にかかる暖房装置は、一つの部品で吹出口保護板とロゴ表示部を構成でき、構成部品が少なく安価に構成することができるようになり、一般家庭で用いられる暖房機器として非常に有効である。
【図面の簡単な説明】
【００５４】
【図１】本発明の実施の形態を示す暖房装置の断面図
【図２】（ａ）同暖房装置の正面図（ｂ）吹出部銘板の正面図（ｃ）吹出部銘板の取付部の概略図
【図３】同装置の制御ブロック図
【図４】従来の暖房装置の断面図
【符号の説明】
【００５５】
１１  燃焼部
１２  燃焼筒
１３  ダクト
１３ａ  連通口
１４  第１吹出口
１５  送風手段
１７  フロント
１７ａ  ロゴ開口
１８  第２吹出口
１９  吹出部銘板
１９ａ  ロゴ表示部
１９ｂ  吹出口保護板
【図１】
2005140348.tif 000003
【図２】
2005140348.tif 000004
【図３】
2005140348.tif 000005
【図４】
2005140348.tif 000006